(57)【特許請求の範囲】
【請求項１】
遊技台に対応して設けられる各台対応装置であって、
貨幣を受け付けて遊技媒体を貸し出す貸出手段と、
自装置に対応する遊技台で遊技者が獲得した遊技媒体を計数する計数手段と、
前記計数手段による計数値に基づいて前記貸出手段が貨幣を受け付けることの禁止および禁止解除を行う貨幣受付禁止手段と、
前記貨幣受付禁止手段が貨幣の受け付けを禁止している状態において、所定の操作を受け付けた場合に、貨幣受け付けの禁止を解除する操作手段と
を備えたことを特徴とする各台対応装置。
【請求項２】
前記貨幣受付禁止手段は、
貨幣の受け付けを禁止していない状態において前記計数手段による計数値が禁止開始用の閾値である禁止開始閾値以上となった場合に貨幣の受け付けを禁止するとともに、貨幣の受け付けを禁止している状態において前記計数手段による計数値が禁止解除用の閾値である禁止解除閾値未満となった場合に、貨幣の受け付け禁止を解除することを特徴とする請求項１に記載の各台対応装置。
【請求項３】
前記貨幣受付禁止手段が貨幣の受け付けを禁止している旨を報知する報知手段
をさらに備えたことを特徴とする請求項１又は２に記載の各台対応装置。
【請求項４】
前記貸出手段は、
プリペイド残額に応じて遊技媒体を貸し出すものであって、前記貨幣受付禁止手段が貨幣の受け付けを禁止している状態においては、前記プリペイド残額の代わりに前記計数手段による計数値を使用して遊技媒体を貸し出すことを特徴とする請求項１〜３のいずれか一つに記載の各台対応装置。
【請求項５】
遊技台に対応して設けられる各台対応装置と前記各台対応装置を管理する管理装置とで前記各台対応装置の貨幣受け付けを制御する貨幣受付制御システムであって、
前記各台対応装置は、
貨幣を受け付けて遊技媒体を貸し出す貸出手段と、
自装置に対応する遊技台で遊技者が獲得した遊技媒体を計数する計数手段と、
前記計数手段による計数値が所定の閾値以上となった場合に、前記貸出手段が貨幣を受け付けることを禁止する貨幣受付禁止手段と、
前記貨幣受付禁止手段が貨幣の受け付けを禁止している状態において、所定の操作を受け付けた場合に、貨幣受け付けの禁止を解除する操作手段と
を備え、
前記管理装置は、
貨幣受け付け禁止の対象とする前記各台対応装置に対して前記所定の閾値を通知する通知手段
を備えたことを特徴とする貨幣受付制御システム。
【請求項６】
遊技台に対応して設けられる各台対応装置と前記各台対応装置を管理する管理装置とで前記各台対応装置の貨幣受け付けを制御する貨幣受付制御方法であって、
貨幣を受け付けて前記各台対応装置が遊技媒体を貸し出す貸出工程と、
自装置に対応する遊技台で遊技者が獲得した遊技媒体を前記各台対応装置が計数する計数工程と、
前記計数工程による計数値が所定の閾値以上となった場合に、前記貸出工程が貨幣を受け付けることを前記各台対応装置が禁止する貨幣受付禁止工程と、
前記貨幣受付禁止工程が貨幣の受け付けを禁止している状態において、所定の操作を受け付けた場合に、貨幣受け付けの禁止を解除する操作工程と、
貨幣受け付け禁止の対象とする前記各台対応装置に対して前記所定の閾値を前記管理装置が通知する通知工程と
を含んだことを特徴とする貨幣受付制御方法。
【発明の詳細な説明】
【技術分野】
【０００１】
この発明は、遊技台ごとに設けられる各台対応装置、遊技台ごとに設けられる各台対応装置と各台対応装置を管理する管理装置とで各台対応装置の貨幣受け付けを制御する貨幣受付制御システムおよび貨幣受付制御方法に関し、特に、遊技者にとって無駄な遊技媒体の貸し出しを防止することができるとともに、貨幣による貸し出し機会を減少させることができる各台対応装置、貨幣受付制御システムおよび貨幣受付制御方法に関するものである。
【背景技術】
【０００２】
従来から、パチンコ店などの遊技店に設置されるパチンコ機やパチスロ機といった遊技機と並設され、紙幣や硬貨といった貨幣を受け付けてパチンコ玉やメダルといった遊技媒体を貸し出す貸出処理機（以下、「台間装置」と記載する）が知られている。また、遊技機において遊技者が獲得した遊技媒体の数量を各台間装置と接続された計数部が計数する、いわゆる各台計数方式も知られてきた（たとえば、特許文献１参照）。
【０００３】
かかる各台計数方式に対応した台間装置では、計数部に投入された遊技媒体の数量（以下、「計数値」と記載する）を計数し、ＩＣ（Integrated  Circuit）カードなどの情報記憶が可能なカードに対して計数値を関連付ける。このように、各台計数方式に対応した台間装置は、遊技者が獲得した遊技媒体の数量を計数値として管理するので、遊技者は、自身が獲得した持ち玉を引き出して遊技することができる。
【０００４】
【特許文献１】特開２００７−２２９１１１号公報
【発明の開示】
【発明が解決しようとする課題】
【０００５】
しかしながら、上記した従来技術では、遊技者が十分な持ち玉を有している場合であっても、貨幣を受け付けると遊技媒体を貸し出してしまうという問題がある。これは、各台計数方式の場合、遊技者は自身が獲得した遊技媒体の数量を表示部などで確認する必要があり、遊技者が持ち玉を有していることに気付きにくいためである。また、単なる誤操作で貨幣を投入してしまう場合もあるためである。
【０００６】
しかし、特に、景品交換時の交換額が遊技媒体の貸し額よりも安い場合（すなわち、換金率が等価交換ではない場合）には、遊技者にとってみれば持ち玉を引き出して遊技するほうが、貨幣による遊技媒体の貸し出しを受けるよりも得となる。したがって、持ち玉がある場合に、貨幣による遊技媒体の貸し出しを行うことは好ましくない。
【０００７】
また、台間装置では、特に高額な紙幣を用いた紙幣引き抜きなどの不正が行われることもあるため、不正防止の観点から、紙幣の使用機会を減少させたいという遊技店側のニーズもある。
【０００８】
これらのことから、各台計数方式を採用した場合に、遊技者にとって無駄な遊技媒体の貸し出しを防止することができるとともに、貨幣による貸し出し機会を減少させることができる台間装置や各台対応装置、貨幣受付制御システムあるいは貨幣受付制御方法をいかにして実現するかが大きな課題となっている。
【０００９】
この発明は、上述した従来技術による問題点を解消するためになされたものであって、各台計数方式を採用した場合に、遊技者にとって無駄な遊技媒体の貸し出しを防止することができるとともに、貨幣による貸し出し機会を減少させることができる各台対応装置、貨幣受付制御システムおよび貨幣受付制御方法を提供することを目的とする。
【課題を解決するための手段】
【００１０】
上述した課題を解決し、目的を達成するため、本発明は、遊技台に対応して設けられる各台対応装置であって、貨幣を受け付けて遊技媒体を貸し出す貸出手段と、自装置に対応する遊技台で遊技者が獲得した遊技媒体を計数する計数手段と、前記計数手段による計数値に基づいて前記貸出手段が貨幣を受け付けることの禁止および禁止解除を行う貨幣受付禁止手段と、前記貨幣受付禁止手段が貨幣の受け付けを禁止している状態において、所定の操作を受け付けた場合に、貨幣受け付けの禁止を解除する操作手段とを備えたことを特徴とする。
【００１１】
また、本発明は、上記の発明において、前記貨幣受付禁止手段は、貨幣の受け付けを禁止していない状態において前記計数手段による計数値が禁止開始用の閾値である禁止開始閾値以上となった場合に貨幣の受け付けを禁止するとともに、貨幣の受け付けを禁止している状態において前記計数手段による計数値が禁止解除用の閾値である禁止解除閾値未満となった場合に、貨幣の受け付け禁止を解除することを特徴とする。
【００１４】
また、本発明は、上記の発明において、前記貨幣受付禁止手段が貨幣の受け付けを禁止している旨を報知する報知手段をさらに備えたことを特徴とする。
【００１５】
また、本発明は、上記の発明において、前記貸出手段は、プリペイド残額に応じて遊技媒体を貸し出すものであって、前記貨幣受付禁止手段が貨幣の受け付けを禁止している状態においては、前記プリペイド残額の代わりに前記計数手段による計数値を使用して遊技媒体を貸し出すことを特徴とする。
【００１６】
また、本発明は、遊技台に対応して設けられる各台対応装置と前記各台対応装置を管理する管理装置とで前記各台対応装置の貨幣受け付けを制御する貨幣受付制御システムであって、前記各台対応装置は、貨幣を受け付けて遊技媒体を貸し出す貸出手段と、自装置に対応する遊技台で遊技者が獲得した遊技媒体を計数する計数手段と、前記計数手段による計数値が所定の閾値以上となった場合に、前記貸出手段が貨幣を受け付けることを禁止する貨幣受付禁止手段と、前記貨幣受付禁止手段が貨幣の受け付けを禁止している状態において、所定の操作を受け付けた場合に、貨幣受け付けの禁止を解除する操作手段とを備え、前記管理装置は、貨幣受け付け禁止の対象とする前記各台対応装置に対して前記所定の閾値を通知する通知手段を備えたことを特徴とする。
【００１７】
また、本発明は、遊技台に対応して設けられる各台対応装置と前記各台対応装置を管理する管理装置とで前記各台対応装置の貨幣受け付けを制御する貨幣受付制御方法であって、貨幣を受け付けて前記各台対応装置が遊技媒体を貸し出す貸出工程と、自装置に対応する遊技台で遊技者が獲得した遊技媒体を前記各台対応装置が計数する計数工程と、前記計数工程による計数値が所定の閾値以上となった場合に、前記貸出工程が貨幣を受け付けることを前記各台対応装置が禁止する貨幣受付禁止工程と、前記貨幣受付禁止工程が貨幣の受け付けを禁止している状態において、所定の操作を受け付けた場合に、貨幣受け付けの禁止を解除する操作工程と、貨幣受け付け禁止の対象とする前記各台対応装置に対して前記所定の閾値を前記管理装置が通知する通知工程とを含んだことを特徴とする。
【発明の効果】
【００１８】
本発明によれば、貨幣を受け付けて遊技媒体を貸し出す貸出手段と、自装置に対応する遊技台で遊技者が獲得した遊技媒体を計数する計数手段とを備えることとしたうえで、計数手段による計数値に基づいて貸出手段が貨幣を受け付けることの禁止および禁止解除を行うこととしたので、遊技者にとって無駄な遊技媒体の貸し出しを防止することができるとともに、貨幣による貸し出し機会を減少させることができるという効果を奏する。特に、貨幣の受け付けを禁止している状態において、所定の操作を受け付けた場合に、貨幣受け付けの禁止を解除することとしたので、状況に応じて係員に禁止解除を行わせることができるという効果を奏する。
【００１９】
また、本発明によれば、貨幣の受け付けを禁止していない状態において計数手段による計数値が禁止開始用の閾値である禁止開始閾値以上となった場合に貨幣の受け付けを禁止するとともに、貨幣の受け付けを禁止している状態において計数手段による計数値が禁止解除用の閾値である禁止解除閾値未満となった場合に、貨幣の受け付け禁止を解除することとしたので、貨幣の受け付け禁止および禁止解除を柔軟に行うことができるという効果を奏する。
【００２２】
また、本発明によれば、貨幣の受け付けを禁止している旨を報知することとしたので、貨幣の受け付けを禁止している旨を係員や遊技者へ認識させることができるという効果を奏する。
【００２３】
また、本発明によれば、貸出手段は、プリペイド残額に応じて遊技媒体を貸し出すものであって、貨幣の受け付けを禁止している状態においては、プリペイド残額の代わりに計数手段による計数値を使用して遊技媒体を貸し出すこととしたので、プリペイド残額よりも計数値を優先した遊技媒体の貸し出しを行うことで、遊技者が換金率の関係で損をすることを防止することができるという効果を奏する。
【発明を実施するための最良の形態】
【００２６】
以下に添付図面を参照して、本発明に係る各台対応装置、貨幣受付制御システムおよび貨幣受付制御方法の実施例を詳細に説明する。なお、以下の説明では、パチンコ店などの遊技店に設置されるパチンコ機やパチスロ機といった遊技機と並設された計数機能付き台間装置が、貨幣受付制御処理を実行する場合について説明する。
【００２７】
まず、実施例の詳細な説明に先立って、本発明に係る貨幣受付制御手法の概要について図１を用いて説明する。図１は、本発明に係る貨幣受付制御手法の概要を示す図である。
【００２８】
同図に示すように、各遊技台に併設された計数機能付台間装置（以下、単に「台間装置」と記載する）は、島コントローラ経由で管理装置と接続されている。ここで、管理装置とは、台間装置、精算機、景品交換装置といった遊技店に設置された機器を管理する装置であり、島コントローラとは、周囲を通路に囲まれたスペース（遊技島）に設けられた一群の台間装置や遊技機などの装置を束ねる装置である。
【００２９】
また、台間装置は、自装置が接続された遊技機で遊技者が獲得した遊技媒体（たとえば、パチンコ玉）の数を計数したうえで計数結果を計数値として記録媒体（カード）へ記録し、計数値が記録された記録媒体（カード）を遊技者へ発行する装置である。なお、管理装置が、記録媒体（カード）の識別子（カードＩＤ）と計数値とを関連付けて記憶することとしてもよい。
【００３０】
従来、このような計数機能を備えた台間装置を使用する場合、遊技者が持ち玉（獲得玉）を保持していても、貨幣を受け付けて遊技媒体の貸し出しを行っていた。しかし、遊技者が持ち玉を保持している場合には、現金で遊技媒体を借りる必要はない。その理由は、持ち玉を使用して遊技をすれば足りるからであり、特に、換金率が等価交換ではない場合には持ち玉を使用したほうが遊技者にとって得になるからである。
【００３１】
また、従来のように、いつでも貨幣を受け付けて遊技媒体を貸し出すこととすると、紙幣の引き抜きなどの不正行為の危険性が常に存在するため、不正行為の被害にあう可能性も高くなる。
【００３２】
そこで、本発明に係る貨幣受付制御手法では、計数機能を備えた台間装置による計数値に基づいて貨幣受け付けの禁止／禁止解除を制御することとした。具体的には、同図に示すように、貨幣受付禁止処理に用いる閾値を管理装置から各台間装置へ送信し（同図の(１)参照）、台間装置は受信した閾値を記憶する（同図の（２）参照）。そして、遊技者の遊技開始によって計数を開始したならば（同図の（Ａ）参照）、計数値がかかる閾値以上となった場合に貨幣受付禁止とする（同図の（Ｂ）参照）。
【００３３】
このように、本発明に係る貨幣受付制御手法では、計数値と所定の閾値とを対比して貨幣受け付けの禁止制御を行うこととしたので、遊技者にとって無駄な遊技媒体の貸し出しを防止することができるとともに、貨幣による貸し出し機会を減少させることができる。以下では、本発明に係る貨幣受付制御手法を適用した貨幣受付制御システムについての実施例を詳細に説明する。
【実施例】
【００３４】
図２は、本実施例に係る貨幣受付制御システム１の構成を示すブロック図である。同図に示すように、貨幣受付制御システム１は、台間装置１０と、管理装置２０とから構成される。なお、同図には、１台の台間装置１０のみを示しているが、管理装置２０には所定数の台間装置１０が島コントローラ（図１参照）経由で接続されるものとする。
【００３５】
ここで、台間装置１０の概要構成を説明するために、図３を用いて台間装置１０の外観について説明しておく。図３は、台間装置１０の外観図である。なお、同図には、台間装置１０が併設された遊技機５１を破線で示している。また、同図では、紙幣のみを受け付ける台間装置１０を示しているが、硬貨受け付け用のユニットを備えることとしてもよい。
【００３６】
図３に示すように、台間装置１０は、貨幣の受付禁止状態になったり異常が発生した際に所定の色で点灯あるいは点滅する状態表示ランプ４１と、遊技媒体の貸し出しのための各種紙幣を受け付ける紙幣挿入部４２と、係員が携帯するリモコン（携帯端末装置）からの指示を受け付けるリモコン受光部４３と、７セグ表示部４４ａおよびテンキーなどの操作部４４ｂで構成される表示／操作部４４とを備えている。
【００３７】
また、持ち玉等の遊技媒体を払い出すノズルを備えた持ち玉払出部４５と、計数値が記録されたり、プリペイド価値が関連付けられたりしたカードを受け付けるカード受付部４６と、持ち玉（獲得玉）を計数する計数部４７と、持ち玉（獲得玉）を貯留する玉貯留部４８とを備えている。
【００３８】
また、玉貯留部４８の前面には、持ち玉（獲得玉）の計数結果などを表示する計数表示部４９と、持ち玉を用いた遊技を指示するための持ち玉払出ボタン５０とを備えている。台間装置１０は、同図に示す遊技機５１の下皿５２から持ち玉（獲得玉）を玉貯留部４８へ誘導し、計数部４７で持ち玉（獲得玉）の数量を計数する。なお、計数後の遊技玉は、遊技島内に形成される図示しない遊技玉回収経路へ排出される。
【００３９】
そして、持ち玉が記憶された状態で、遊技者が持ち玉払出ボタン５０を押下した場合には、持ち玉（獲得玉）を持ち玉払出部４５経由で遊技機５１へ投出する。なお、持ち玉払出部４５は、紙幣挿入部４２へ紙幣が挿入されたり、カード受付部４６へプリペイド価値が関連付けられたカードが挿入されたりして、遊技機５１の貸し出しボタンが押下された場合の払い出しを併せて行う場合もある。
【００４０】
なお、同図では、計数表示部４９および持ち玉払出ボタン５０が玉貯留部４８の前面に設けられた場合について説明したが、計数表示部４９および持ち玉払出ボタン５０の設置位置には制限はない。たとえば、計数表示部４９および持ち玉払出ボタン５０を、台間装置１０や遊技機５１に設けることとしてもよい。また、遊技機５１の上部に設けられた情報表示機や呼出ランプに設けることとしてもよい。
【００４１】
図２の説明に戻り、台間装置１０の構成について説明する。台間装置１０は、状態表示部１１（図３の４１に対応）と、貨幣受付部１２（図３の４２に対応）と、貸出部１３と、カード受付部１４（図３の４６に対応）と、計数部１５と、通信Ｉ／Ｆ（インターフェース）１６と、制御部１７と、記憶部１８と、持ち玉払出部１９とを備えている。
【００４２】
また、制御部１７は、閾値情報受付部１７ａと、禁止状態通知部１７ｂと、貨幣受付禁止部１７ｃと、閾値補正部１７ｄと、持ち玉払出制御部１７ｅとをさらに備えており、記憶部１８は、閾値情報１８ａと、持ち玉情報１８ｂとを記憶する。なお、図２では、図３で説明した各構成要素の中から台間装置１０の特徴点を説明するために必要な構成要素のみを抜粋して示している。
【００４３】
状態表示部１１は、ＬＥＤ（Light  Emitting  Diode）などの発光デバイスで構成され、貸出部１３が貨幣受付禁止部１７ｃからの指示で貨幣受付部１２からの貨幣の受け付けを禁止した場合や、禁止を解除した場合に、所定の色で発光するなどして係員や遊技者に対する報知を行う。
【００４４】
貨幣受付部１２は、貨幣を受け付けて貨幣の額を貸出部１３へ通知する。なお、この貨幣受付部１２は、紙幣および硬貨を受け付けるものとするが、紙幣のみを受け付けることとしてもよい。また、貨幣受付部１２は、制御部１７の貨幣受付禁止部１７ｃからの貨幣受付禁止指示を貸出部１３経由で受け取り、搬送機構を停止したり、貨幣の受付口のシャッターを閉めたりするなどして貨幣の受け付け自体を禁止する。なお、貨幣をいったん受け付けたうえで遊技媒体の貸し出しを行うことなく返却することとしてもよい。
【００４５】
貸出部１３は、カード受付部１４が受け付けた会員用カードや一般用カードに対応付けられた計数値（計数部１５によって計数された遊技媒体の数量）や、プリペイドカードの残度数に基づいて遊技媒体を貸し出すとともに、貨幣受付部１２が貨幣を受け付けた場合には、現金の額に基づいて遊技媒体を貸し出す処理を行う。
【００４６】
なお、この貸出部１３は、制御部１７の貨幣受付禁止部１７ｃから貨幣受付禁止指示を受けた場合には、その旨を貨幣受付部１２へ通知するとともに、状態表示部１１に対して報知処理を行うように指示する。
【００４７】
また、貸出部１３は、貨幣受付禁止状態で、プリペイドカードの残度数がある場合において、図示しない貸出ボタン（プリペイド残額貸出ボタン）が押下された場合には、プリペイド残度数の代わりに計数部１５による計数値を使用して遊技媒体を貸し出す。このようにすることで、遊技者が換金率の関係で損をすることを防止することができる。
【００４８】
カード受付部１４は、会員用カード、一般用カード、プリペイドカードといった各種カードを受け付け、各カードに関連付けられた計数値や残度数を貸出部１３へ通知するとともに、計数値や残度数の更新処理を行う。計数部１５は、遊技者の持ち玉（獲得玉）を計数し、計数結果を計数値としてカード受付部１４へ渡す処理を行う。
【００４９】
通信Ｉ／Ｆ（インターフェース）１６は、ＬＡＮ（Local  Area  Network）カードなどの通信デバイスで構成され、ネットワーク経由で、台間装置１０／管理装置２０間のデータ送受信を行う。
【００５０】
制御部１７は、管理装置２０から禁止制御に用いる閾値を含んだ閾値情報１８ａを受け取って記憶部１８へ記憶させるとともに、計数部１５による計数値を閾値情報１８ａと対比することで貨幣受付の禁止および禁止解除を行う処理部である。また、この制御部１７は、計数部１５による計数値に基づいて閾値情報１８ａに含まれる閾値を動的に変更する補正処理を行う処理部でもある。
【００５１】
閾値情報受付部１７ａは、通信Ｉ／Ｆ１６経由で管理装置２０から貨幣受付禁止制御に用いる閾値を含んだ閾値情報１８ａを受け取り、受け取った閾値情報１８ａを記憶部１８へ記憶させる処理を行う処理部である。
【００５２】
禁止状態通知部１７ｂは、貨幣受付禁止部１７ｃから貨幣受付禁止を開始した旨、貨幣受付禁止を解除した旨の通知を受け取り、受け取った通知を通信Ｉ／Ｆ１６経由で管理装置２０へ通知する処理を行う処理部である。また、この禁止状態通知部１７ｂは、係員による受付禁止解除操作が行われた場合に、係員を識別する識別子（係員ＩＤ）と貨幣受付禁止を解除した旨の通知とを関連付けて管理装置２０へ通知する。このようにすることで、係員による不正をチェックすることが可能となる。
【００５３】
ここで、係員による受付禁止解除操作は、係員が携帯するリモコン（携帯端末装置）から係員ＩＤを含んだ解除通知をリモコン受光部４３（図３参照）が受け付けることで行われる。なお、係員による受付禁止解除操作の有効期間は、１取引限りとすることとしてもよく、所定の操作が行われるまで解除状態が継続することとしてもよい。また、係員が操作部４４ｂ（図３参照）から入力した所定のコードを受付禁止解除操作として受け付けることとしてもよい。
【００５４】
貨幣受付禁止部１７ｃは、記憶部１８から閾値情報１８ａを読み出し、読み出した閾値情報１８ａに含まれる閾値と計数部１５による計数値とを対比し、貨幣受付禁止の開始および解除を決定したうえで、貸出部１３に対して貨幣受付禁止／禁止解除の指示を行う処理部である。
【００５５】
たとえば、この貨幣受付禁止部１７ｃは、閾値情報１８ａに、貨幣受付禁止を行う旨および２５個以上の持ち玉で貨幣受付禁止を開始する旨の情報が含まれている場合には、計数値が２５個以上となった時点で貨幣受付禁止を開始する。また、計数値が２５個未満となった時点で貨幣受付禁止を解除する。なお、閾値補正部１７ｄによって閾値が動的に更新された場合には、最新の閾値を用いることになる。
【００５６】
ここで、貨幣受付禁止の開始に用いる閾値と、貨幣受付禁止の解除に用いる閾値とを同一の値とする必要はなく、貨幣受付禁止の開始に用いる禁止開始閾値と、解除に用いる禁止解除閾値とを異なる値とすることとしてもよい。
【００５７】
閾値補正部１７ｄは、計数部１５による計数値に基づき、記憶部１８の閾値情報１８ａに含まれる閾値を動的に変更する補正処理を行う処理部である。たとえば、この閾値補正部１７ｄは、貨幣受付禁止の開始後に、計数部１５による計数値について持ち玉の減少スピードを算出し、減少スピードが大きい（すなわち、持ち玉の減り方が大きい）場合には、閾値を大きい値へ変更する。
【００５８】
このようにすることで、貨幣受付禁止の解除タイミングを早めることができるので、持ち玉がなくなりそうなのに貨幣による貸し出しも受けられないといった遊技者の不都合を回避することが可能となる。
【００５９】
持ち玉払出制御部１７ｅは、獲得玉が計数部１５で計数されると記憶部１８の持ち玉情報１８ｂを加算更新するとともに、持ち玉払出ボタン５０が操作されると持ち玉情報１８ｂを減算更新して持ち玉払出部１９から玉の払い出しを行わせる処理を行う処理部である。なお、持ち玉払出部１９は、持ち玉払出制御部１７ｅからの指示に従って持ち玉を払い出す。
【００６０】
記憶部１８は、メモリやハードディスク装置といった記憶デバイスで構成される記憶部であり、閾値情報１８ａと、持ち玉情報１８ｂとを記憶する。閾値情報１８ａは、貨幣受付禁止処理を行うか否かを示す「受付禁止有無」項目と、貨幣受付禁止の開始および解除の起点となる計数値を示す「閾値」項目とを含んだ情報である。なお、貨幣受付禁止の開始に用いる「禁止開始閾値」項目と、解除に用いる「禁止解除閾値」項目とを設け、各閾値項目を異なる値とすることとしてもよい。また、持ち玉情報１８ｂは、持ち玉の数量を示す「持ち玉」項目を含んだ情報であり、この「持ち玉」項目は、持ち玉払出制御部１７ｅによって更新される。
【００６１】
次に、管理装置２０の構成について説明する。管理装置２０は、通信Ｉ／Ｆ２１と、制御部２２と、記憶部２３とを備えている。なお、同図では、管理装置２０の特徴点を説明するために必要な構成要素のみを抜粋して示している。また、記憶部２３は、メモリやハードディスク装置といった記憶デバイスで構成される記憶部である。
【００６２】
通信Ｉ／Ｆ２１は、ＬＡＮカードなどの通信デバイスで構成され、ネットワーク経由で、管理装置２０／台間装置１０間のデータ送受信を行う。制御部２２は、記憶部２３の閾値管理情報２３ａに基づき、各台間装置１０に対して貨幣受付禁止処理に用いる閾値情報１８ａを送信する処理を行うとともに、各台間装置１０から受け取った貨幣受付禁止処理の履歴を、記憶部２３の禁止実績情報２３ｂへ登録する処理を行う処理部である。
【００６３】
閾値通知部２２ａは、記憶部２３から閾値管理情報２３ａを読み出し、各台間装置１０に対して貨幣受付禁止処理に用いる閾値情報１８ａを送信する処理を行う処理部である。ここで、閾値管理情報２３ａの例について図４を用いて説明する。図４は、閾値管理情報２３ａの例を示す図である。なお、同図の（１）には閾値管理情報２３ａの基本例を、同図の（２）には変形例を、それぞれ示している。
【００６４】
同図の（１）に示すように、基本例に係る閾値管理情報２３ａは、各台間装置１０を識別する「台間装置識別子」項目と、各台間装置１０が貨幣受付禁止処理を行うか否かを示す「受付禁止有無」項目と、貨幣受け付けの禁止開始および禁止解除の起点となる「閾値」項目とを含んだ情報である。
【００６５】
たとえば、台間装置識別子が「１０１」である台間装置１０に対しては、受付禁止有無が「有」であり、閾値が「２５」である旨の情報が、閾値通知部２２ａによって通知される。この通知を受けた台間装置１０では、貨幣受付禁止処理が実行され、計数部１５による計数値が「２５」以上となった場合に貨幣受付禁止が開始され、「２５」未満となった場合に貨幣受付禁止が解除されることになる。
【００６６】
また、台間装置識別子が「２０１」である台間装置１０に対しては、受付禁止有無が「有」であり、閾値が「５０」である旨の情報が、閾値通知部２２ａによって通知される。この通知を受けた台間装置１０では、貨幣受付禁止処理が実行され、計数部１５による計数値が「５０」以上となった場合に貨幣受付禁止が開始され、「５０」未満となった場合に貨幣受付禁止が解除されることになる。
【００６７】
なお、台間装置識別子が「３０１」である台間装置１０に対しては、受付禁止有無が「無」である旨の情報が閾値通知部２２ａによって通知される。この通知を受けた台間装置１０では、貨幣受付禁止処理を実行しない。
【００６８】
このように、閾値管理情報２３ａを用いることで、各台間装置１０で貨幣受付禁止処理を実行するか否かと、貨幣受付禁止処理を行う場合の閾値とを一括管理することができるので、遊技店の運用形態に柔軟に対応することが可能となる。また、閾値の変更を容易に行うことができる。
【００６９】
また、同図の（２）に示すように、変形例に係る閾値管理情報２３ａは、各台間装置１０を識別する「台間装置識別子」項目と、各台間装置１０が貨幣受付禁止処理を行うか否かを示す「受付禁止有無」項目と、貨幣受け付け禁止開始の起点となる「禁止開始閾値」項目と、貨幣受け付け禁止解除の起点となる「禁止解除閾値」項目とを含んだ情報である。
【００７０】
たとえば、受付禁止有無が「有」であり、禁止開始閾値が「５０」であり、禁止解除閾値が「２５」である場合には、該当する台間装置１０では、貨幣受付禁止処理が実行される。そして、計数部１５による計数値が「５０」以上で貨幣受付禁止が開始され、「２５」未満で貨幣受付禁止が解除されることになる。なお、同図では、閾値の例として「２５」または「５０」を示したが、１以上の値を設定することができる。
【００７１】
禁止状態受信部２２ｂは、各台間装置１０から受け取った貨幣受付禁止処理の履歴を、記憶部２３の禁止実績情報２３ｂへ登録する処理を行う処理部である。ここで、禁止実績情報２３ｂの例について図５を用いて説明する。図５は、禁止実績情報２３ｂの例を示す図である。
【００７２】
なお、同図の（１）には、禁止実績情報２３ｂから特定の台間装置１０に係る実績を抽出した場合を示しており、同図の（２）には、現時点における各台間装置１０についての貨幣受付禁止処理の状態一覧を示している。
【００７３】
同図の（１）に示すように、禁止実績情報２３ｂは、各台間装置１０を識別する「台間装置識別子」項目と、貨幣受付禁止処理の状態変更が行われた時刻を示す「時刻」項目と、状態変更の内容を示す「内容」項目と、禁止解除が係員によって行われた場合の係員ＩＤを示す「係員識別子」項目とを含んだ情報である。なお、「時刻」項目に日付を含めることとしてもよい。
【００７４】
たとえば、台間装置識別子が「１０１」である台間装置１０では、「１０時１０分１０秒」に受付禁止が行われ、「１１時１１分１１秒」に禁止解除が行われている。また、「１３時１３分１３秒」に係員による禁止解除操作が行われており、禁止解除を行った係員の係員識別子は「ａｂｃａｂｃ」である。なお、同図では、台間装置識別子が「１０１」である台間装置１０の情報のみを示しているが、禁止実績情報２３ｂには、各台間装置１０についての情報が含まれる。
【００７５】
また、同図の（２）に示すように、禁止実績情報２３ｂを、現時点における各台間装置１０の状態一覧として抽出することも可能である。たとえば、台間装置識別子が「１０１」および「１０３」である台間装置１０では、現時点で貨幣受付禁止状態ではないことを示している。また、台間装置識別子が「１０２」では、現時点で貨幣受付禁止状態であることを示している。
【００７６】
次に、貨幣受付制御システム１を構成する各装置が初期処理時に実行する処理手順について図６を用いて説明する。図６は、貨幣受付制御システム１を構成する各装置が初期処理時に実行する処理手順を示すフローチャートである。同図に示すように、管理装置２０は、貨幣受付禁止処理に係る設定処理を実行するタイミングであるか否かを判定する（ステップＳ１０１）。ここで、設定処理を実行するタイミングとしては、遊技店の開店時や、障害復旧時、不正行為発覚などの緊急時といったタイミングがある。
【００７７】
そして、設定処理を実行するタイミングである場合には（ステップＳ１０１，Ｙｅｓ）、閾値通知部２２ａが閾値管理情報２３ａに基づき、台間装置１０に対して設定内容を通知する（ステップＳ１０２）。なお、ステップＳ１０１の判定条件を満たさない場合には（ステップＳ１０１，Ｎｏ）、ステップＳ１０１の処理を繰り返す。
【００７８】
台間装置１０は、管理装置２０から設定内容を受信したか否かを判定し（ステップＳ１０３）、設定内容を受信した場合には（ステップＳ１０３，Ｙｅｓ）、受信した設定内容が「適用」設定であるか否か（図４の（１）に示した「受付禁止有無」項目が「有」であるか否か）を判定する（ステップＳ１０４）。なお、ステップＳ１０３の判定条件を満たさなかった場合には（ステップＳ１０３，Ｎｏ）、ステップＳ１０３の処理を繰り返す。
【００７９】
そして、「適用」設定である場合には（ステップＳ１０４，Ｙｅｓ）、台間装置１０は、入金禁止処理を実行する（ステップＳ１０５）。一方、「非適用」設定である場合（図４の（１）に示した「受付禁止有無」項目が「無」である場合）には（ステップＳ１０４，Ｎｏ）、台間装置１０は、入金禁止処理を行わない（ステップＳ１０６）。
【００８０】
次に、台間装置１０が実行する入金禁止処理（貨幣受付禁止処理）の処理手順について図７を用いて説明する。図７は、台間装置１０が実行する入金禁止処理の処理手順を示すフローチャートである。同図に示すように、入金可能状態において（ステップＳ２０１）、計数部１５が計数を開始する（ステップＳ２０２）。
【００８１】
そして、貨幣受付禁止部１７ｃは、持ち玉（計数値）が閾値（図４の（１）参照）以上であるか否かを判定し（ステップＳ２０３）、持ち玉が閾値以上である場合には（ステップＳ２０３，Ｙｅｓ）、入金禁止状態とする（ステップＳ２０４）。なお、ステップＳ２０３の判定条件を満たさない場合には（ステップＳ２０３、Ｎｏ）、ステップＳ２０３の処理を繰り返す。
【００８２】
そして、禁止状態通知部１７ｂは、状態変更があった旨を管理装置２０へ通知し（ステップＳ２０５）、貨幣受付禁止部１７ｃは、状態表示部１１を所定の色で点灯させるなどの報知処理を実行する（ステップＳ２０６）。
【００８３】
つづいて、貨幣受付禁止部１７ｃは、入金禁止状態の解除条件が成立したか否かを判定する（ステップＳ２０７）。ここで、解除条件とは、持ち玉（計数値）が閾値（図４の（１）参照）未満となったこと、または、係員による解除操作があったことを示す。そして、解除条件が成立した場合には（ステップＳ２０７，Ｙｅｓ）、入金可能状態とする（ステップＳ２０８）。なお、ステップＳ２０７の判定条件を満たさなかった場合には（ステップＳ２０７，Ｎｏ）、ステップＳ２０７以降の処理を繰り返す。
【００８４】
そして、禁止状態通知部１７ｂは、状態変更があった旨を管理装置２０へ通知し（ステップＳ２０９）、貨幣受付禁止部１７ｃは、状態表示部１１を所定の色（ステップＳ２０６における所定の色とは異なる色）で点灯させるなどの報知処理を実行し（ステップＳ２１０）、ステップＳ２０３以降の処理を繰り返す。
【００８５】
ところで、これまでは、台間装置１０と管理装置２０とで貨幣受付制御システム１を構成する場合について説明してきたが、台間装置のみで貨幣受付禁止処理を行うこととしてもよい。そこで、以下では、単独で貨幣受付禁止処理を行う台間装置１０ａについて説明する。なお、以下の説明では、図２における台間装置１０の各構成要素と対応する構成要素には同一の符号を付し、内容が異なる点についてのみ説明することとする。
【００８６】
図８は、変形例に係る台間装置１０ａの構成を示すブロック図である。同図に示すように、台間装置１０ａは、閾値情報受付部１７ａが操作部１９から閾値に関する情報を受け付ける点で台間装置１０（図２参照）とは異なる。ここで、操作部１９は、図３に示した操作部４４ｂに対応する。なお、閾値情報受付部１７ａが、係員によって携帯されるリモコン（携帯端末装置）からリモコン受光部４３（図３参照）経由で、閾値に関する情報を受け付けることとしてもよい。
【００８７】
このように、台間装置１０ａが、閾値に関する情報を直接受け付けることで、台間装置１０ａが貨幣受付禁止処理を行うか否かの設定や、貨幣受付禁止処理に用いる閾値の設定を柔軟に行うことができる。なお、閾値情報受付部１７ａが、操作部１９から閾値に関する情報を受け付けるとともに、管理装置２０からも閾値に関する情報を受け付けることとしてもよい。
【００８８】
上述してきたように、本実施例では、台間装置が、貨幣を受け付けて遊技媒体を貸し出す貸出手段と、自装置に対応する遊技台で遊技者が獲得した遊技媒体を計数する計数手段とを備えることとしたうえで、計数手段による計数値が所定の閾値以上となった場合に、貸出手段が貨幣を受け付けることを禁止することとし、管理装置が、貨幣受け付け禁止の対象とする台間装置に対して所定の閾値を通知することとしたので、管理装置で閾値を一括管理したうえで、遊技者にとって無駄な遊技媒体の貸し出しを防止することができるとともに、貨幣による貸し出し機会を減少させることができる。
【００８９】
なお、上述した実施例では、貨幣受付の禁止開始後に、計数値が所定の閾値未満となった場合に貨幣受付の禁止解除を行う場合について示したが、計数値が所定の数値範囲に含まれる場合に貨幣受付の禁止解除を行うこととしてもよい。
【００９０】
また、上述した実施例では、計数部が接続された台間装置に本発明を適用した場合について説明したが、台間装置と接続されない各台計数機に本発明を適用することとしてもよい。
【００９１】
また、上述した実施例では、貨幣受付部を備えた台間装置について示したが、図９に示すような各台対応装置に本発明を適用することとしてもよい。図９は、変形例に係る各台対応装置の概略構成を示す図である。同図の（ａ）に示すように、台間装置に貨幣受付装置（貨幣識別装置）が外付けで接続されている場合にも、本発明を適用することができる。なお、同図に示す９１が、外付けタイプの貨幣受付装置である。また、台間装置と計数部とが独立しており相互に通信する場合（図９の（ｂ）参照）にも、本発明を適用することができる。なお、同図に示す９２が、独立タイプの計数部である。
【産業上の利用可能性】
【００９２】
以上のように、本発明に係る各台対応装置、貨幣受付制御システムおよび貨幣受付制御方法は、各台計数方式における貨幣使用機会の減少に有用であり、特に、遊技者にとって無駄な遊技媒体の貸し出しを防止したい場合に適している。
【図面の簡単な説明】
【００９３】
【図１】本発明に係る貨幣受付制御手法の概要を示す図である。
【図２】本実施例に係る貨幣受付制御システムの構成を示すブロック図である。
【図３】台間装置の外観図である。
【図４】閾値管理情報の例を示す図である。
【図５】禁止実績情報の例を示す図である。
【図６】貨幣受付制御システムを構成する各装置が初期処理時に実行する処理手順を示すフローチャートである。
【図７】台間装置が実行する入金禁止処理の処理手順を示すフローチャートである。
【図８】変形例に係る台間装置の構成を示すブロック図である。
【図９】変形例に係る各台対応装置の概略構成を示す図である。
【符号の説明】
【００９４】
１    貨幣受付制御システム
１０、１０ａ  台間装置
１１    状態表示部
１２    貨幣受付部
１３    貸出部
１４    カード受付部
１５    計数部
１６    通信Ｉ／Ｆ
１７    制御部
１７ａ  閾値情報受付部
１７ｂ  禁止状態通知部
１７ｃ  貨幣受付禁止部
１７ｄ  閾値補正部
１８    記憶部
１８ａ  閾値情報
１９    操作部
２０    管理装置
２１    通信Ｉ／Ｆ
２２    制御部
２２ａ  閾値通知部
２２ｂ  禁止状態受信部
２３    記憶部
２３ａ  閾値管理情報
２３ｂ  禁止実績情報
４１    状態表示ランプ
４２    紙幣挿入部
４３    リモコン受光部
４４    表示／操作部
４４ａ  ７セグ表示部
４４ｂ  操作部
４５    持ち玉払出部
４６    カード受付部
４７    計数部
４８    玉貯留部
４９    計数表示部
５０    持ち玉払出ボタン
５１    遊技機
５２    下皿
【図１】
0005280101.tif 000002
【図２】
0005280101.tif 000003
【図３】
0005280101.tif 000004
【図４】
0005280101.tif 000005
【図５】
0005280101.tif 000006
【図６】
0005280101.tif 000007
【図７】
0005280101.tif 000008
【図８】
0005280101.tif 000009
【図９】
0005280101.tif 000010